(57)【要約】【課題】  歯列模型の模型歯の正確な位置調整に用いられる模型歯保持具及びこれを具備した模型歯位置調整装置を提供すること。【解決手段】  模型歯位置調整装置１は、歯列模型２の患者の矯正すべき歯に対応する模型歯３を保持する模型歯保持具６と、歯列模型２を不動に固定する固定手段７と、模型歯保持具６の被取付部１５を取り付ける取付部８と、固定手段７に固定された歯列模型２に対する取付部８の位置を調整する位置調整機構９とを具備している。【選択図】図１
2006212202.tif 000002
【特許請求の範囲】
【請求項１】
歯列模型の夫々互いに切り離された模型歯に夫々当接して当該模型歯を挟持する一対の当接部と、一対の当接部に模型歯を挟持させるように当該一対の当接部を互いに接近及び離反させる接近及び離反機構と、接近及び離反機構が設けられていると共に、一対の当接部に挟持される模型歯の位置を当該模型歯を除く歯列模型に対して調整する模型歯位置調整装置の取付部に取り付けられる被取付部とを具備している模型歯保持具。
【請求項２】
当接部は、模型歯に圧接することにより当該模型歯の表面形状に沿って弾性変形する弾性部材又は熱軟化により当接する模型歯の表面形状に沿って変形する熱軟化部材を具備している請求項１に記載の模型歯保持具。
【請求項３】
歯列模型の熱軟化性の模型歯肉を軟化させるべく加熱する加熱手段を更に具備している請求項１又は２に記載の模型歯保持具。
【請求項４】
加熱手段は、模型歯肉に当接する少なくとも一つの発熱部を具備している請求項３に記載の模型歯保持具。
【請求項５】
請求項１から４のいずれか一項に記載の模型歯保持具と、歯列模型を固定する固定手段と、模型歯保持具の被取付部を取り付ける取付部と、固定手段により固定された歯列模型に対する取付部の位置を調整する位置調整機構とを具備している模型歯位置調整装置。
【請求項６】
位置調整機構は、取付部を固定手段により固定された歯列模型に対してＸ方向に移動させるＸ方向移動機構と、取付部を固定手段により固定された歯列模型に対してＸ方向に交差するＹ方向に移動させるＹ方向移動機構と、取付部を固定手段により固定された歯列模型に対してＸ方向及びＹ方向に交差するＺ方向に移動させるＺ方向移動機構と、取付部を固定手段により固定された歯列模型に対して回動させる回動機構とのうちの少なくともいずれか一つを具備している請求項５に記載の模型歯位置調整装置。
【請求項７】
固定手段は、歯列模型を固定する固定台と、この固定台に設けられた磁石とを具備している請求項５又は６に記載の模型歯位置調整装置。
【発明の詳細な説明】
【技術分野】
【０００１】
本発明は、歯列矯正の各矯正段階に応じた形状の合成樹脂製（エチレンビニルアセテート（ＥＶＡ）製、セルロースアセトブチレート製等を含む）のマウスピースを作製するための歯列模型の各模型歯の位置調整に用いられる模型歯保持具及びこれを具備した模型歯位置調整装置に関する。
【背景技術】
【０００２】
【特許文献１】特開２００３−３１９９４８号公報
【０００３】
例えば特許文献１においては、透光性を有している合成樹脂製の歯科矯正用のマウスピースが開示されている。
【発明の開示】
【発明が解決しようとする課題】
【０００４】
ところで、斯かるマウスピースは、患者の矯正すべき歯に対応する模型歯の位置が手作業等により調整された歯列模型から型取りされるが、患者の歯の矯正すべき歯に対応する模型歯の位置を、患者の歯の現在位置と当該歯の最終目標位置との関係において適切な位置に正確に調整することができなければ、患者の矯正すべき歯に対して適切な圧力を与えるマウスピースを作製することが困難となる。
【０００５】
本発明は、前記諸点に鑑みてなされたものであり、その目的とするところは、歯列模型の模型歯の正確な位置調整に用いられる模型歯保持具及びこれを具備した模型歯位置調整装置を提供することにある。
【課題を解決するための手段】
【０００６】
本発明の模型歯保持具は、歯列模型の夫々互いに切り離された模型歯に夫々当接して当該模型歯を挟持する一対の当接部と、一対の当接部に模型歯を挟持させるように当該一対の当接部を互いに接近及び離反させる接近及び離反機構と、接近及び離反機構が設けられていると共に、一対の当接部に挟持される模型歯の位置を当該模型歯を除く歯列模型に対して調整する模型歯位置調整装置の取付部に取り付けられる被取付部とを具備している。
【０００７】
本発明の模型歯保持具によれば、歯列模型の夫々互いに切り離された模型歯に夫々当接して当該模型歯を挟持する一対の当接部と、一対の当接部に模型歯を挟持させるように当該一対の当接部を互いに接近及び離反させる接近及び離反機構と、接近及び離反機構が設けられていると共に、一対の当接部に挟持される模型歯の位置を当該模型歯を除く歯列模型に対して調整する模型歯位置調整装置の取付部に取り付けられる被取付部とを具備しているために、患者の矯正すべき歯に対応する模型歯を適度な挟持力によって確実に保持することができ、その上、模型歯位置調整装置の取付部に被取付部で取り付けられることで、歯列模型の模型歯の正確な位置調整に用いることができる。
【０００８】
本発明の模型歯保持具の好ましい例では、当接部は、模型歯に圧接することにより当該模型歯の表面形状に沿って弾性変形する弾性部材又は熱軟化により当接する模型歯の表面形状に沿って変形する熱軟化部材を具備している。このような好ましい例によれば、一対の当接部の模型歯に当接する面積を増大させることができ、而して、患者の矯正すべき歯に対応する様々な形状の模型歯をより確実に保持することができる。
【０００９】
本発明の模型歯保持具の好ましい例では、歯列模型の熱軟化性の模型歯肉を軟化させるべく加熱する加熱手段を更に具備している。このような好ましい例によれば、模型歯肉を軟化させるための焼鏝等の加熱工具を別個に用意する必要をなくすことができ、例えば斯かる模型歯保持具が被取付部で模型歯位置調整装置の取付部に取り付けられた場合には、当該模型歯位置調整装置と前記別個の加熱工具とを夫々同時的に操作する必要をなくすことができて模型歯の位置を簡単に調整することができる。
【００１０】
本発明の模型歯保持具の好ましい例では、加熱手段は、模型歯肉に当接する少なくとも一つの発熱部を具備している。このような好ましい例によれば、当該発熱部を模型歯肉に当接させることで模型歯肉の軟化を速やかに生じさせ得る。
【００１１】
本発明の模型歯位置調整装置は、上述の模型歯保持具と、歯列模型を固定する固定手段と、模型歯保持具の被取付部を取り付ける取付部と、固定手段により固定された歯列模型に対する取付部の位置を調整する位置調整機構とを具備している。
【００１２】
本発明の模型歯位置調整装置の好ましい例では、位置調整機構は、取付部を固定手段により固定された歯列模型に対してＸ方向に移動させるＸ方向移動機構と、取付部を固定手段により固定された歯列模型に対してＸ方向に交差するＹ方向に移動させるＹ方向移動機構と、取付部を固定手段により固定された歯列模型に対してＸ方向及びＹ方向に交差するＺ方向に移動させるＺ方向移動機構と、取付部を固定手段により固定された歯列模型に対して回動させる回動機構とのうちの少なくともいずれか一つを具備している。
【００１３】
本発明の模型歯位置調整装置の好ましい例では、固定手段は、歯列模型を固定する固定台と、この固定台に設けられた磁石とを具備している。このような好ましい例によれば、歯列模型の土台に磁石、鉄等が設けられている場合に固定手段の磁石によって歯列模型を引きつけることができ、而して、模型歯位置調整装置に対する歯列模型の位置決めを容易に行い得る。
【発明の効果】
【００１４】
本発明によれば、歯列模型の模型歯の正確な位置調整に用いられる模型歯保持具及びこれを具備した模型歯位置調整装置を提供し得る。
【発明を実施するための最良の形態】
【００１５】
次に、本発明の実施の形態の例を、図に示す例に基づいて更に詳細に説明する。尚、本発明はこれら例に何等限定されないのである。
【実施例】
【００１６】
図１から図１１において、本例の模型歯位置調整装置１は、歯列模型２の患者の矯正すべき歯に対応する模型歯３を保持する模型歯保持具６と、歯列模型２を不動に固定する固定手段７と、模型歯保持具６の被取付部１５を取り付ける取付部８と、固定手段７に固定された歯列模型２に対する取付部８の位置を調整する位置調整機構９とを具備している。
【００１７】
患者の歯列から型取りされてなる歯列模型２は、図７、図８及び図１１に示すように、石膏等からなる模型歯３と、ワックス等からなる熱軟化性（熱可塑性）を有した模型歯肉４と、模型歯３及び模型歯肉４を支える土台５とを具備している。模型歯３は、夫々互いに切り離されており、模型歯肉４は、各模型歯３の位置を維持している。土台５には、本例では磁石、鉄等９５が設けられている。斯かる歯列模型２は、模型歯位置調整装置１により患者の矯正すべき歯に対応する模型歯３の位置が調整されることで歯列矯正用のマウスピース等の作製の際に基礎の型として用いられ得る。模型歯肉４は、例えば６０℃程度にまで加熱されることによって軟化を生じるようになっている。
【００１８】
模型歯保持具６は、特に図２から図６に示すように、模型歯３に夫々当接して当該模型歯３を挟持する一対の当接部１１及び１２と、当接部１１及び１２に模型歯３を挟持させるように当該当接部１１及び１２を互いに接近及び離反させる接近及び離反機構１４と、接近及び離反機構１４が設けられていると共に、当接部１１及び１２に挟持される模型歯３の位置を当該模型歯３を除く歯列模型２に対して調整する模型歯位置調整装置１の取付部８に取り付けられる被取付部１５とを具備している。
【００１９】
当接部１１は、模型歯３に当接する当接部材２１ａと、当接部材２１ａを支持する支持部材としての支持アーム２２ａとを具備している。当接部１２は、模型歯３に当接する当接部材２１ｂと、当接部材２１ｂを支持する支持アーム２２ｂとを具備している。当接部材２１ａ及び２１ｂは、Ｘ方向で互いに対向して配されている。
【００２０】
当接部材２１ａ及び２１ｂのいずれか一方又は双方は、模型歯３に圧接することにより当該模型歯３の表面形状に沿って弾性変形するゴム（天然ゴム、シリコンゴム等の合成ゴムを含む）等の弾性部材からなっていてもよく、また、熱軟化性（熱可塑性）を有していると共に熱軟化により当接する模型歯３の表面形状に沿って変形する熱軟化部材からなっていてもよい。前記熱軟化部材は、常温では可塑性を示さない一方、加熱された際には軟化して当該熱軟化部材に当接する模型歯３の表面形状に対して相補的な形状に塑性変形される程度の可塑性を示す熱可塑性エラストマーからなっていてもよい。
【００２１】
斯かる当接部材２１ａ及び２１ｂは、ゴム等の弾性部材からなる場合には模型歯３に対して広い当接面積をもって速やかに当接させることができ、また、熱可塑性エラストマー等の熱軟化部材からなる場合には、模型歯３に対して更に広い当接面積をもって当接させることができる。尚、当接部材２１ａ及び２１ｂが熱軟化部材からなっている場合には、当接部１１及び１２は、電熱、超音波、レーザー、温風、高周波等により発熱すると共に発熱した熱を熱軟化部材に伝導することができるように熱軟化部材に接して若しくは熱軟化部材の近傍に配された発熱部（図示せず）を更に具備し、当該発熱部での発熱により熱軟化部材を軟化させるようになっていてもよく、また、前記発熱部に代えて又は加えて、電熱、超音波、レーザー、温風、高周波等により熱軟化部材を加熱する加熱部（図示せず）を更に具備していてもよい。このような当接部１１及び１２によれば、当接部材２１ａ及び２１ｂを模型歯３に広い当接面積をもって速やかに当接させることができる。
【００２２】
当接部材２１ａ及び２１ｂが一端に夫々取り付けられた支持アーム２２ａ及び２２ｂは、アルミ、ステンレス等の金属製であると共にＸ方向に直交するＺ方向に伸びた水平断面矩形状の部材からなり、当接部１１及び１２の協働により模型歯３を挟持した際に撓み等が生じない程度の剛性と当接部１１及び１２の前記発熱部や加熱された模型歯肉４から伝導され得る熱によっては変形しない程度の耐熱性を有している。支持アーム２２ａ及び２２ｂ間には、当接部材２１ａ及び２１ｂが配されている。尚、支持アーム２２ａ及び２２ｂは、前記剛性及び耐熱性を有するのであれば、合成樹脂製であってもよく、また、水平断面が円形状、環形状、三角形状、多角形状等の部材からなっていてもよい。また、支持アーム２２ａ及び２２ｂの夫々には、連結手段３７及び３８の夫々の筒体４１に対するＺ方向に関する位置を特定することができるように、目盛りが示されている。
【００２３】
接近及び離反機構１４は、特に図５及び図６に示すように、正ねじ部３１及び逆ねじ部３２を有していると共に一端に摘み３３が設けられているＸ方向に伸びたねじ軸３４と、正ねじ部３１に螺合しているナット３５と、逆ねじ部３２に螺合しているナット３６と、支持アーム２２ａをナット３５を介してねじ軸３４に連結する連結手段３７と、支持アーム２２ｂをナット３６を介してねじ軸３４に連結する連結手段３８とを具備しており、摘み３３の回転操作によりねじ軸３４を正回転させることで当接部１１及び１２をＸ方向において互いに接近させる一方、ねじ軸３４を逆回転させることで当接部１１及び１２をＸ方向において互いに離反させるようになっている。ねじ軸３４の両端は、被取付部１５に回転自在に支持されている。連結手段３７は、連結手段３８に対してＸ方向で対向して配されている。
【００２４】
連結手段３７は、一端の開口から支持アーム２２ａが挿入されていると共に他端側にナット３５が固定されているＺ方向に伸びた矩形状の筒体４１と、筒体４１の側面に設けられた孔を介して支持アーム２２ａの側面に先端で圧接する止めねじ４２と、止めねじ４２に螺合していると共に筒体４１の側面に固定されている止めねじ４２用のナット４３とを具備しており、止めねじ４２の回転により当該止めねじ４２の先端を支持アーム２２ａの側面に圧接させることで支持アーム２２ａを筒体４１に対して固定し、当該固定により支持アーム２２ａをねじ軸３４に連結するようになっている。斯かる連結手段３７では、止めねじ４２の支持アーム２２ａに対する圧接を当該止めねじ４２の回転により解除することで、当接部材２１ａの筒体４１に対するＺ方向の位置を調節することができ、また、図９から図１１に示すように、後述の加熱手段１６がある場合には、当該加熱手段１６の発熱部８１ａに対するＺ方向の位置をも調節することができる。連結手段３８は、連結手段３７と同様に構成されているので、以下、連結手段３８については、図に適宜同符号を付してその詳細な説明を省略する。
【００２５】
尚、接近及び離反機構１４は、ねじ軸３４若しくは摘み３３に圧接し又は係合する圧接部材又は係合部材を有していると共に圧接部材又は係合部材のねじ軸３４若しくは摘み３３との圧接又は係合によりねじ軸３４の回転を禁止する一方、圧接部材又は係合部材のねじ軸３４若しくは摘み３３との圧接又は係合の解除によりねじ軸３４の回転の禁止を解除する回転禁止手段（図示せず）を更に具備していてもよい。
【００２６】
被取付部１５は、上板部５１、下板部５２、側板部５３及び５４、前板部５５並びに後板部５６と、上板部５１及び側板部５３に固定されていると共にねじ軸３４の一端を回転自在に支持している回転支持部材５７と、上板部５１及び側板部５４に固定されていると共にねじ軸３４の他端を回転自在に支持している回転支持部材５８と、下板部５２に設けられたＸ方向に伸びたスリット５９と、上板部５１及び後板部５６に固定されていると共に軸１３１のＤカット部１３２に嵌合する嵌合部６０と、嵌合部６０に嵌合したＤカット部１３２に圧接して嵌合部６０とＤカット部１３２との嵌合状態を維持する止めボルト６１とを具備している。
【００２７】
上板部５１には、嵌合部６０上に配された孔６５が形成されており、孔６５には、軸１３１が抜出自在に挿入される。側板部５４には、ねじ軸３４が通る孔６６と、止めボルト６１を回転させるための六角レンチ等の工具（図示せず）が挿抜される工具挿入用の孔６７とが形成されている。
【００２８】
スリット５９には、連結手段３７及び３８の夫々の筒体４１がＸ方向に移動自在に配されている。スリット５９を画している下板部５２の面５２ａは、ねじ軸３４から離れた筒体４１の部位の夫々に滑接自在に接することで被取付部１５に対する当接部１１及び１２の回転を禁止している。
【００２９】
嵌合部６０は、本体６８と、本体６８に形成されていると共にＤカット部１３２の表面形状に対して相補的な内面形状を有した孔部６９とを具備しており、孔部６９にＤカット部１３２が抜出自在に挿入されることによってＤカット部１３２に嵌合するようになっている。
【００３０】
止めボルト６１の頭部７０には、六角溝７１が形成されており、六角溝７１に嵌め込まれた六角レンチ等の工具により回転されることによって孔部６９に挿入されたＤカット部１３２に圧接し又は当該圧接を解除するように嵌合部６０に螺合している。
【００３１】
尚、模型歯保持具６は、図９から図１１に示すように、模型歯肉４を軟化させるべく加熱する加熱手段１６を更に具備していてもよい。
【００３２】
加熱手段１６は、電気エネルギ等の供給により夫々発熱すると共に模型歯肉４に当接して熱を与える一対の発熱部８１ａ及び８１ｂと、発熱部８１ａが当接部材２１ａの下に配されるように当該発熱部８１ａが一端に取り付けられているアーム部材８２ａと、発熱部８１ｂが当接部材２１ｂの下に配されると共に発熱部８１ｂにＸ方向で対向して配されるように当該発熱部８１ｂが一端に取り付けられているアーム部材８２ｂと、アーム部材８２ａの他端を連結手段３７の筒体４１にＲ５方向に回動自在に装着する装着部８３ａと、アーム部材８２ｂの他端を連結手段３８の筒体４１にＲ６方向に回動自在に装着する装着部８３ｂと、発熱部８１ａをアーム部材８２ａを介して当接部１２側に向かって付勢する付勢手段８４ａと、発熱部８１ｂをアーム部材８２ｂを介して当接部１１側に向かって付勢する付勢手段８４ｂとを具備している。アーム部材８２ａ及び８２ｂの夫々の他端には、Ｘ方向及びＺ方向に直交するＹ方向に伸びた軸８６が挿入される孔が形成されている。発熱部８１ａ及び８１ｂは、電熱、超音波、レーザー、温風、高周波等により発熱されるようになっていてもよい。
【００３３】
装着部８３ａは、筒体４１に固定された軸支持部材８５と、軸支持部材８５に支持される軸８６とを具備しており、軸８６は、アーム部材８２ａが軸８６を中心としてＲ５方向に回動自在となるように当該アーム部材８２ａの他端の孔に挿入されている。装着部８３ｂは、装着部８３ａと同様に構成されているので、以下、装着部８３ｂについては図に適宜同符号を付してその詳細な説明を省略する。
【００３４】
付勢手段８４ａは、連結手段３７の筒体４１及びアーム部材８２ａに取り付けられたスプリング８７を具備しており、当該スプリング８７の弾性によりアーム部材８２ａにＲ５方向の回動力を与えることによって発熱部８１ａを当接部１２側に向かって付勢するようになっている。付勢手段８４ｂは、付勢手段８４ａと同様に構成されているので、以下、付勢手段８４ｂについては図に適宜同符号を付してその詳細な説明を省略する。
【００３５】
以上の加熱手段１６によれば、模型歯肉４を軟化させるための焼鏝等の加熱工具を模型歯位置調整装置１とは別個に用意する必要をなくすことができると共に模型歯位置調整装置１と前記別個の加熱工具とを夫々同時的に操作する必要をなくすことができて、模型歯３の位置を簡単に調整することができ、また。発熱部８１ａ及び８１ｂを模型歯肉４に当接させることで模型歯肉４の軟化を速やかに生じさせ得る。尚、加熱手段１６は、発熱部８１ａ及び８１ｂに代えて又は加えて、模型歯保持具６に模型歯３が保持された歯列模型２の模型歯肉４の近傍に配されていると共に当該模型歯保持具６に装着されており、当該模型歯肉４を電熱、超音波、レーザー、温風、高周波等により加熱する加熱部（図示せず）を具備していてもよく、斯かる加熱部によっても上記と同様の効果を奏し得る。
【００３６】
固定手段７は、図１及び図７に示すように、基台９０上に設けられている固定台９１と、基台９０と固定台９１との間に介在されていると共に固定台９１の模型歯保持具６に対する位置を調整する調整機構９２とを具備している。
【００３７】
固定台９１は  固定台本体９３と、歯列模型２が載置される載置面９４と、歯列模型２の土台５に設けられた磁石、鉄等９５を引きつけることによって載置面９４に載置された歯列模型２を固定台本体９３に対して不動に固定することができるように固定台本体９３に設けられた磁石９６とを具備している。
【００３８】
尚、固定手段７は、固定すべき歯列模型２の土台５に一つ又は複数の嵌合凸部又は嵌合凹部（図示せず）が設けられている場合には、土台５の嵌合凸部又は嵌合凹部と嵌合して歯列模型２を不動にすることができるように載置面９４に設けられた一つ又は複数の嵌合凹部又は嵌合凸部（図示せず）を具備していてもよい。
【００３９】
調整機構９２は、本例では、固定台９１をＺ方向に伸びる軸心を中心としてＲ１方向に回転させる回転機構１０１と、固定台９１をＺ方向に直交する方向に伸びる軸心を中心としてＲ２方向に回転させる回転機構１０２とを具備している。
【００４０】
回転機構１０１は、基台９０に固定された円盤状の固定盤１１１と、固定盤１１１に対してＲ１方向に回転自在な円盤状の回転盤１１２と、固定盤１１１に回転自在に支持されていると共に回転により回転盤１１２をＲ１方向に回転させる摘み１１３付きのねじ軸１１４と、回転盤１１２の固定盤１１１に対するＲ１方向の回転を禁止する止めねじ１１５とを具備しており、ねじ軸１１４の回転に基づく回転盤１１２のＲ１方向の回転により固定台９１の模型歯保持具６に対するＲ１方向における位置を調整するようになっている。
【００４１】
回転機構１０２は、回転盤１１２に固定されていると共に固定台９１がＲ２方向に回転自在となるように固定台本体９３が凹面１２１上に載置されている載置台１２２と、載置台１２２に回転自在に支持されていると共に回転により固定台本体９３を凹面１２１に沿ってＲ２方向に回転させる摘み１２３付きのねじ軸１２４と、載置台１２２に対する固定台９１のＲ２方向の回転を禁止する止めねじ１２５とを具備しており、ねじ軸１２４の回転に基づく固定台本体９３のＲ２方向の回転により固定台９１の模型歯保持具６に対するＲ２方向における位置を調整するようになっている。
【００４２】
取付部８は、Ｚ方向に伸びた軸１３１の一端に設けられたＤカット部１３２を具備しており、Ｄカット部１３２が上述のように嵌合部６０と嵌合して止めボルト６１により前記嵌合状態が維持されることで被取付部１５を取り付けるようになっている。
【００４３】
位置調整機構９は、図１に示すように、Ｄカット部１３２が設けられている軸１３１を固定手段７により固定された歯列模型２に対してＸ方向に移動させるＸ方向移動機構１４１と、軸１３１を固定手段７により固定された歯列模型２に対してＹ方向に移動させるＹ方向移動機構１４２とを具備している。
【００４４】
Ｙ方向移動機構１４２は、基台９０にＺ方向に伸びた支持軸１４５を介して固定された固定板１５１と、固定板１５１に対してＹ方向に移動自在となるように固定板１５１にＹ方向に伸びた案内レール（図示せず）等を介して取り付けられているＹ方向移動板１５２と、固定板１５１に回転自在に支持されていると共に回転によりＹ方向移動板１５２を固定板１５１に対してＹ方向に移動させる摘み１５３付きのねじ軸１５４と、Ｙ方向移動板１５２のＹ方向の移動を禁止する止めねじ１５５とを具備しており、ねじ軸１５４の回転に基づくＹ方向移動板１５２の移動により軸１３１に取り付けられた模型歯保持具６の固定台９１上の歯列模型２に対するＹ方向における位置を調整するようになっている。
【００４５】
Ｘ方向移動機構１４１は、Ｙ方向移動板１５２に対してＸ方向に移動自在となるようにＹ方向移動板１５２にＸ方向に伸びた案内レール（図示せず）等を介して取り付けられていると共に軸１３１の他端が装着されているＸ方向移動板１６２と、Ｙ方向移動板１５２に回転自在に支持されていると共に回転によりＸ方向移動板１６２をＹ方向移動板１５２に対してＸ方向に移動させる摘み１６３付きのねじ軸１６４と、Ｘ方向移動板１６２のＸ方向の移動を禁止する止めねじ１６５とを具備しており、ねじ軸１６４の回転に基づくＸ方向移動板１６２の移動により軸１３１に取り付けられた模型歯保持具６の固定台９１上の歯列模型２に対するＸ方向における位置を調整するようになっている。
【００４６】
尚、位置調整機構９は、上述の構成に加えて又は代えて、軸１３１を固定手段７により固定された歯列模型２に対してＺ方向に移動させるＺ方向移動機構と、軸１３１又は軸１３１に取り付けられた模型歯保持具６を固定手段７により固定された歯列模型２に対して図４に示すＲ３方向又はＲ４方向に回動させる回動機構とのうちの少なくともいずれか一方を具備していてもよい。
【００４７】
以下、本例の模型歯位置調整装置１により歯列模型２の患者の矯正すべき歯に対応する模型歯３の位置を調整する場合について詳細に説明する。まず、歯列模型２を固定台９１上に載置して当該固定台９１に対して不動な状態とする。次に、調整機構９２の摘み１１３及び１２３を回転させて、Ｒ１及びＲ２方向において患者の矯正すべき歯に対応する模型歯３の位置を模型歯保持具６により保持し易い位置、例えば、当接部材２１ａ及び２１ｂに挟持されるべき模型歯３の歯面がＺ方向に直交する方向（Ｘ方向を含む）に関して当該当接部材２１ａ及び２１ｂに対向し得るように調整し、調整後、止めねじ１１５及び１２５を回転させて固定台９１を基台９０に対して不動となるように固定する。
【００４８】
次に、位置調整機構９の摘み１５３及び１６３を回転させて軸１３１を介して模型歯保持具６をＸ方向及びＹ方向に移動させて固定台９１に固定された歯列模型２の上方に配置する。次に、連結手段３７の止めねじ４２を回転させて当該止めねじ４２の支持アーム２２ａに対する圧接を解除し、支持アーム２２ａをＺ方向に移動させて当接部材２１ａを患者の矯正すべき歯に対応する模型歯３の頬側に配置し、配置後、連結手段３７の止めねじ４２を回転させて支持アーム２２ａに圧接させる。当接部材２１ｂもまた上述と同様にして患者の矯正すべき歯に対応する模型歯３の舌側に配置する。このようにして一対の当接部材２１ａ及び２１ｂを前記模型歯３を間にして互いに対向させる。
【００４９】
次に、接近及び離反機構１４の摘み３３を回転させて当接部１１及び１２をＸ方向において互いに接近させて当接部材２１ａ及び２１ｂを患者の矯正すべき歯に対応する模型歯３に当接させ、而して、当該模型歯３を当接部材２１ａ及び２１ｂの協働により挟持する。尚、模型歯保持具６により模型歯３を保持した状態における当該模型歯３の位置は、調整機構９２及び位置調整機構９の作動状態に基づいて確認することができる。
【００５０】
模型歯保持具６による模型歯３の保持後、加熱手段１６を具備している場合には当該加熱手段１６により、また、加熱手段１６を具備していない場合には焼鏝等の加熱工具により、前記模型歯３の近傍の模型歯肉４の部分を加熱して当該模型歯３を歯列模型２の全体に対して移動可能な状態とする。次に、Ｘ方向移動機構１４１により軸１３１をＸ方向に移動させることで模型歯保持具６に保持された模型歯３をＸ方向に所望量移動させると共に、Ｙ方向移動機構１４２により軸１３１をＹ方向に移動させることで模型歯保持具６に保持された模型歯３をＹ方向に所望量移動させる。このようにして、患者の矯正すべき歯に対応する模型歯３の位置を矯正治療の段階に応じた適正な位置に正確に調整することができる。
【００５１】
本例の模型歯位置調整装置１により患者の矯正すべき歯に対応した模型歯３の位置を調整する範囲は、位置を調整すべき模型歯３をその元の位置から目標位置に向かって２ｍｍ以下であってもよく、１ｍｍ以下であってもよく、また、０．５ｍｍ以下であってもよい。尚、本例の模型歯位置調整装置１により模型歯３の位置が調整された歯列模型２の形状等に関するデータは、映像走査機（スキャナ）により当該歯列模型２が撮像されることによってコンピュータ等に取り込まれてもよい。
【００５２】
本例の模型歯位置調整装置１によれば、歯列模型２の夫々互いに切り離された模型歯３に夫々当接して当該模型歯３を挟持する一対の当接部１１及び１２と、当接部１１及び１２に模型歯３を挟持させるように当該当接部１１及び１２を互いに接近及び離反させる接近及び離反機構１４と、接近及び離反機構１４が設けられていると共に、当接部１１及び１２に挟持される模型歯３の位置を当該模型歯３を除く歯列模型２に対して調整する本例の模型歯位置調整装置１の取付部８に取り付けられる被取付部１５とを具備しているために、患者の矯正すべき歯に対応する模型歯３を適度な挟持力によって確実に保持することができる。
【００５３】
模型歯位置調整装置１によれば、当接部１１及び１２のうちの少なくとも一方は、模型歯３に圧接することにより当該模型歯３の表面形状に沿って弾性変形する弾性部材又は熱軟化により当接する模型歯３の表面形状に沿って変形する熱軟化部材を具備しているために、当接部１１及び１２の少なくとも一方の模型歯３に当接する面積を増大させることができ、而して、患者の矯正すべき歯に対応する様々な形状の模型歯３をより確実に保持することができる。
【００５４】
模型歯位置調整装置１によれば、歯列模型２の熱軟化性の模型歯肉４を軟化させるべく加熱する加熱手段１６を更に具備している場合には、模型歯肉４を軟化させるための焼鏝等の加熱工具を別個に用意する必要をなくすことができると共に模型歯位置調整装置１と前記別個の加熱工具とを夫々同時的に操作する必要をなくすことができて、模型歯３の位置を簡単に調整することができる。
【００５５】
模型歯位置調整装置１によれば、前記加熱手段１６は、模型歯肉４に当接する少なくとも一つの発熱部として発熱部８１ａ及び８１ｂを具備しているために、発熱部８１ａ及び８１ｂを模型歯肉４に当接させることで模型歯肉４の軟化を速やかに生じさせ得る。
【００５６】
模型歯位置調整装置１によれば、固定手段７は、歯列模型２を固定する固定台９１と、固定台９１に設けられた磁石９６とを具備しているために、歯列模型２の土台５に磁石、鉄等９５が設けられている場合に固定手段７の磁石９６によって歯列模型２を引きつけることができ、而して、模型歯位置調整装置１に対する歯列模型２の位置決めを容易に行い得る。
【００５７】
尚、本例の模型歯保持具６は、支持アーム２２ａを支持アーム２２ｂに対して接近及び離反させると共に支持アーム２２ｂを支持アーム２２ａに対して接近及び離反させることにより当接部１１及び１２を互いに接近及び離反させる接近及び離反機構１４を具備しているが、これに代えて、支持アーム２２ａを被取付部１５に対して固定すると共に支持アーム２２ｂを支持アーム２２ａに対して接近及び離反させることにより当接部１１及び１２を互いに接近及び離反させる接近及び離反機構を具備していてもよい。
【図面の簡単な説明】
【００５８】
【図１】本発明の実施の形態の例の全体説明図である。
【図２】図１に示す例の主に模型歯保持具の正面説明図である。
【図３】図２に示す主に模型歯保持具のＩＩＩ−ＩＩＩ線矢視説明図である。
【図４】図２に示す主に模型歯保持具のＩＶ−ＩＶ線矢視断面説明図である。
【図５】図２に示す主に模型歯保持具のＶ−Ｖ線矢視断面説明図である。
【図６】図３に示す主に模型歯保持具のＶＩ−ＶＩ線矢視断面説明図である。
【図７】図１に示す例の主に固定台、当接部及び歯列模型の拡大説明図である。
【図８】図１に示す例の固定手段によって固定される歯列模型の土台の説明図である。
【図９】図１に示す例の主に他の模型保持具の正面説明図である。
【図１０】図９に示す主に他の模型保持具の側面説明図である。
【図１１】図９に示す例の主に他の模型保持具の使用説明図である。
【符号の説明】
【００５９】
１  模型歯位置調整装置
２  歯列模型
３  模型歯
４  模型歯肉
６  模型歯保持具
７  固定手段
８  取付部
９  位置調整機構
１１、１２  当接部
１４  接近及び離反機構
１５  被取付部
１６  加熱手段
【図１】
2006212202.tif 000003
【図２】
2006212202.tif 000004
【図３】
2006212202.tif 000005
【図４】
2006212202.tif 000006
【図５】
2006212202.tif 000007
【図６】
2006212202.tif 000008
【図７】
2006212202.tif 000009
【図８】
2006212202.tif 000010
【図９】
2006212202.tif 000011
【図１０】
2006212202.tif 000012
【図１１】
2006212202.tif 000013